(57)【特許請求の範囲】
【請求項１】
ウェブの少なくとも片方の側部を前記ウェブの送り方向に沿う折返し線で折り返すウェブの折返し方法において、前記ウェブは、前記ウェブの折返し工程で折返し開始線から折返し完了線までに通過する前記ウェブの幅方向で任意の位置を占める部分のパスラインの長さが略一定になるようにガイドによって案内され、前記ガイドは、前記ウェブの折返し部の端縁が辿る前記折返し開始線と前記折返し完了線とを結ぶ平面上における前記パスラインとして近似された余弦曲線と、前記折返し部が折り返されて重ねられる前記ウェブの本体部が辿る前記パスラインとして近似された二次曲線とに基づいて形成されていることを特徴とするウェブの折返し方法。
【請求項２】
前記ウェブは、折返しの外側及び／又は内側に置かれた前記ガイドによって案内されることから成る請求項１に記載のウェブの折返し方法。
【請求項３】
ウェブの少なくとも片方の側部を前記ウェブの送り方向に沿う折返し線で折り返すウェブの折返し装置において、前記ウェブの折返し工程で折返し開始線から折返し完了線までに通過する前記ウェブを案内し且つ前記ウェブの幅方向で任意の位置を占める部分のパスラインの長さを略一定とする形状に形成されたガイドを備え、該ガイドは、前記ウェブの折返し部の端縁が辿る前記折返し開始線と前記折返し完了線とを結ぶ平面上におけるパスラインとして近似された余弦曲線と、前記折返し部が折り返されて重ねられる前記ウェブの本体部が辿るパスラインとして近似された二次曲線とに基づいて形成されていることを特徴とするウェブの折返し装置。
【請求項４】
前記ウェブの前記折返し部を構成する幅方向任意の位置を占める部分の前記パスラインは、前記パスラインの長さが一定であるとの条件のもとに前記余弦曲線と前記二次曲線とを合成して決定されていることから成る請求項３に記載のウェブの折返し装置。
【請求項５】
前記ガイドは、折返しの外側に置かれて前記ウェブを折り込む外側ガイドであることから成る請求項３又は４に記載のウェブの折返し装置。
【請求項６】
前記ガイドは、折返しの内側に置かれて前記ウェブを案内する内側ガイドであることから成る請求項３又は４に記載のウェブの折返し装置。
【請求項７】
前記ガイドは、折返しの外側と内側とにそれぞれ置かれて前記ウェブを案内する外側ガイド及び内側ガイドであることから成る請求項３又は４に記載のウェブの折返し装置。
【発明の詳細な説明】
【０００１】
【発明の属する技術分野】
この発明は、プラスチックフィルムや紙等から成るウェブから袋等、特にスタンディングパウチやガゼット袋を連続的に成形するために、当該ウェブの送り方向に延びる折返し線に沿って当該ウェブを折り返すウェブの折返し方法及び装置に関する。
【０００２】
【従来技術】
スタンディングパウチやガゼット袋の製造においては、例えば、特開平９−１８８３１１号公報に開示されているように、胴材に貼り合わされる底材としての比較的幅広のウェブを、フォーミングプレートを用いて、両側端縁が長さ方向中心線上で互いに突き合わせ状態になるように両側で対称に折り返して、ウェブの中心線の両側で２列取りにて製造することが行われている。こうした一条のウェブとしての底材を折り返すことによって、製袋機の構造を簡単にすると共に、二条の底材を用いて製造していた２列取りの製袋機において各底材のテンションに差異に起因した底材のテンションに伴う問題、即ち、胴材の送りに対する二条の底材の的確な送りが困難となるという問題点の解消を図っている。
【０００３】
このウェブの折返し方法によれば、フォーミングプレートは、それぞれ平面で構成される三角形部と三角形部の後流側に角度をなして接続された矩形部とから構成されたプレート部品であるので、三角形部から矩形部へと走行していく間にウェブの折り返される部分は、その幅方向に占める位置に応じて、折返し過程で通過するパスラインの長さに差異が生じる。その結果、何も対策を講じなければ、ウェブには折返し過程で弛みを生じることが避けられない。この弛みを無くすために、フォーミングプレートを通過するウェブには、その伸び量によって決定される一定のテンション（張力）を作用させることが行われている。従って、ウェブの折返しは、そのウェブに張力を作用させながら行う必要がある。
【０００４】
しかしながら、このウェブ折返し工程においては、ウェブの各部分に一定のテンションを負荷するための微妙な張力調整を伴うテンションコントロールが必要であり、伸びが少ない材料については折返し自体が難しいという問題がある。また、フォーミングプレートの代わりに、多数の小ロールを並べて折返しを行うことも提案されているが、この方法もウェブに生じる弛みをテンションによって伸ばすことで対処しており、同様の問題がある。ウェブに作用するテンションが不均一であると、ウェブには弛みやそれに基づく皺が生じ、皺が生じたままシールを施して袋の製造を行うと、製造された袋が歪な形状となったり、シールが不完全になって見栄えや商品性が悪化し、最悪の場合、袋として不良品となる。このように、折返し過程でウェブに弛みが発生しやすくなる原因は、ウェブの幅方向に占める位置に応じてその折返し過程で通過するパスラインの長さに生じようとする差異を吸収するため、ウェブに作用するテンションがウェブの幅方向に不均一になることにある。
【０００５】
【発明が解決しようとする課題】
ウェブの折返し過程において、走行するウェブの折返し途上にある部分に対してテンションの精密な制御を行って、ウェブに弛みを発生させる原因となる幅方向の不均一さを解消することは非常に困難である。また、精密なテンション付与機構は、大がかりでコスト上昇要因にもなる。そこで、この弛み発生原因に着目して、ウェブ幅方向の不均一なテンションが作用するのを未然に解消するため、ウェブの送りに必要な最小限のテンション以外にテンションを掛けることなくウェブの折返しを可能にする点で解決すべき課題がある。
【０００６】
この発明の目的は、ウェブの少なくとも片側からウェブ送り方向の中心線に向かってウェブを折り込む場合に、ウェブの送りに必要な最小限のテンション以外のテンションを掛けることなくウェブを折り返すことを可能にして、ウェブに弛みやそれに基づく皺が生じるのを防止し、ウェブの折返しを良好にするウェブの折返し方法及び装置を提供することである。また、この発明の目的は、ウェブの折返しを袋の製造に適用して、歪な形状の袋の製造を防止し、不完全なシールの発生を防止し、見栄えや商品性の良好な袋を製造することである。
【０００７】
【課題を解決するための手段】
上記の課題を解決するため、この発明によるウェブの折返し方法は、ウェブの少なくとも片方の側部を前記ウェブの送り方向に沿う折返し線で折り返すウェブの折返し方法において、前記ウェブは、前記ウェブの折返し工程で折返し開始から折返し完了までに通過する前記ウェブの幅方向で任意の位置を占める部分のパスラインの長さが略一定になるようにガイドによって案内されることから成っている。
【０００８】
また、この発明によるウェブの折返し装置は、ウェブの少なくとも片方の側部を前記ウェブの送り方向に沿う折返し線で折り返すウェブの折返し装置において、前記ウェブの折返し工程で折返し開始から折返し完了までに通過する前記ウェブを案内し且つ前記ウェブの幅方向で任意の位置を占める部分のパスラインの長さを略一定とする形状に形成されたガイドを備えていることから成っている。
【０００９】
このウェブの折返し方法及び装置によれば、ウェブは、その折返し工程で折返し開始から折返し完了までに通過するウェブの幅方向で任意の位置を占める部分のパスラインの長さが略一定になるようにガイドによって案内され、またガイドはそのパスラインの長さを略一定にするようなガイド形状を有している。従って、ウェブの少なくとも片側からウェブの送り方向に延びる折返し線でウェブを折り返すときに、折返し工程でウェブの幅方向で任意の位置を占める部分のパスラインの長さが略一定であるために、パスラインの長さが異なることに起因した弛みがウェブに生じることはなく、送りのためのテンション以外に弛み除去用の特別なテンションを与えなくても、ウェブを自然に折り返すことが可能となる。従って、ガイドは、ウェブの伸びに依存することなく、ウェブの自然な折返しをすることができる。
【００１０】
このウェブの折返し方法及び装置において、前記ウェブは、折返しの外側に置かれた前記ガイドによって案内されつつ折り返される。また、前記ガイドは、折返しの外側に置かれて前記ウェブを折り込む外側ガイドとすることができる。即ち、ウェブを折り返すときに、外側ガイドによってウェブをその外側から内側に向かって積極的に案内することで折り返すことができる。
【００１１】
このウェブの折返し方法及び装置において、前記ウェブは、折返しの内側に置かれた前記ガイドによって案内することができる。また、前記ガイドは、前記ウェブの内側に置かれたウェブを案内する内側ガイドとすることができる。即ち、ウェブを別途設けたフォーマによって折り返すときに、ウェブを走行させるために与えられるテンションの作用も手伝ってウェブは窄まる方向の作用を受けるので、ウェブを内側から規制して案内することでウェブの折返しを行うことができる。前記内側ガイドは、前記ウェブの曲げ変形のみを受ける本体部を案内するガイド板とすることができる。曲げ変形のみを受けるウェブの本体部の側方に位置する折返し部はガイドとの接触によって案内されないが、本体部をガイドすることにより、送り以外のテンションを実質的に掛けることなく自然に折返しが行われる。
【００１２】
このウェブの折返し方法及び装置において、前記ウェブは、折返しの外側及び内側に置かれた前記ガイドによって案内することができる。また、前記ガイドは、前記ウェブの外側及び内側にそれぞれ置かれたウェブを案内する外側ガイドと内側ガイドとすることができる。即ち、ウェブは、外側ガイドによってウェブをその外側から内側に向かって積極的に案内することで折り返される。その一方で、ウェブを走行させるために与えられるテンションの作用によってウェブは外側ガイドから離れる方向の力を受けるので、ウェブを内側ガイドによって内側から規制して外側ガイドに沿って案内することでウェブの折返しを確実にすることができる。内側ガイドについては、単独で設けられる場合のみならず、外側ガイドと共に設けられる場合も、前記ウェブの曲げ変形のみを受ける本体部を案内するガイド板で構成することができる。
【００１３】
このウェブの折返し装置において、前記ガイドは、前記ウェブの折返し部の端縁が辿る前記折返し開始の線と前記折返し完了の線とを結ぶ平面上における前記パスラインとして近似された余弦曲線と、前記折返し部が折り返されて重ねられる前記ウェブの本体部が辿る前記パスラインとして近似された二次曲線とに基づいて形成することができる。ウェブの折返し部のパスラインについては、その折返し部の幅方向の両側、即ちウェブの端縁部分と、折り返されることなく曲げのみを受けるウェブの本体部との接続部分とのパスラインを定め、折返し部のその他の部分をその両パスラインに基づいて定めることで、ウェブの折返し部の幅方向のどの位置を占める部分についてもパスラインの長さを十分正確に一致させることができ、そうすることによって得られたガイドは、十分実用に供するガイドとなる。
【００１４】
前記両曲線に基づいてパスラインを定めるウェブの折返し装置において、前記ウェブの前記折返し部を構成する幅方向任意の位置を占める部分の前記パスラインは、前記パスラインの長さが一定であるとの条件のもとに前記余弦曲線と前記二次曲線とを合成して決定することが好ましい。
【００１５】
【発明の実施の形態】
以下、図面を参照して、この発明によるウェブの折返し方法及び装置の実施例を説明する。図１はこの発明によるウェブの折返し方法及び装置に従ったウェブの折返しの態様を示す図であり、（ａ）はその斜視図、（ｂ）は平面図、（ｃ）は側面図である。
【００１６】
図１に示すウェブ１は、例えば、スタンディングパウチの底材としてのウェブであって、幅方向中央線２を中心に有する本体部３と、本体部３の幅方向両側に連続して繋がる折返し部４，４とから成っている。ウェブ１は、折返し開始線５から折返しを開始し、折返し完了線６で折返しを完了する。折返し開始線５に至る前のウェブ１は折返し前の平坦な平ウェブ走行部７として送られ、折返し完了線６を通過した後のウェブ１は折返しウェブ走行部８として送られる。図１に図示の例では、特に（ｃ）に示すように、平ウェブ走行部７と折返しウェブ走行部８とは共通の平面９内にあるとしているが、折返し開始線５と折返し完了線６とにおいて角度を付けて走行させてもよい。なお、ウェブ１は中央線２に対して両側でスタンディングパウチを製作する２列取りにおいて適用される底材であるため、パウチの胴材と接合してパウチを製作した後には、中央線２にて両側に切断されるものである。
【００１７】
ウェブ１の折返し開始線５から折返し完了線６までの区間が折返し工程部１０（図１（ｃ））であり、両側の折返し部４，４がそれぞれ本体部３に中央線２に向かって本体部３の上側に折り返される。後述するように、ウェブ１の幅方向任意の位置でパスラインの長さを一定にするため、折返し部４，４が上側に折り返されるときには、本体部３はその反対方向（下方向）に曲げられたパスラインを辿る。折返し部４，４は、外側の両端縁４ａ，４ａが中央線２に一致するように内側の接続線を折返し線４ｂ，４ｂとして折り返されるので、折返し完了線６を通過後であっても互いに干渉し合うことはない。折返し部４，４の折返しの際、外側の両端縁４ａ，４ａは、折返し開始線５と折返し完了線６とを結ぶ平面９内のパスラインを辿ることができる。
【００１８】
折返し開始から折返し完了までの折返し工程部１０においては、本体部３は、曲げだけを受ける部分であって折返しのための捻り作用を受けない。本体部３の両側の折返し部４，４が、折返しのための捻り作用を受ける。折返し部４，４は、折返し工程部１０で、その幅方向で任意の位置を占める部分が辿る経路であるパスラインＣ（図５参照）の長さが略一定になるように、ウェブ１の送り方向に延びる折返し線４ｂ，４ｂで折り返される。その結果、ウェブ１の幅方向でパスラインの長さが異なることに起因して、ウェブ１に弛みが生じることはなく、送りのためのテンション以外にテンションを与えなくても、ウェブ１を自然に折り返すことが可能となる。
【００１９】
図２は、この発明によるウェブの折返し装置の一実施例を示す図であり、（ａ）は折返し装置の側面図、（ｂ）〜（ｅ）はそれぞれ（ａ）に示す折返し装置のｂ〜ｅの各位置における横断面図である。図２に示すウェブの折返し装置は、ウェブの外側から案内する外側ガイド１１を備えており、外側ガイド１１は、ウェブ１の両側の折返し部４，４に積極的な折返し作用、即ち、折返し部４，４に本体部３に向かう方向に折返し力をウェブの走行に応じて作用させており、折返し部４，４はその折返し力によって本体部３の上に折り返される。また、外側ガイド１１は、ウェブ１のパスラインの長さを略一定としたガイド形状を有している。従って、外側ガイド１１は、ウェブ１を、その折返し工程で折返し開始（図１の折返し開始線５の位置）から折返し完了（図１の折返し完了線６の位置）までに通過する折返し部４，４の幅方向任意の位置を占める部分のパスラインの長さが略一定になるように案内する。
【００２０】
外側ガイド１１は、折返し部４，４の折り返しの際に、折返し部４，４にウェブ１の送りに要する以外の実質的なテンションを与えることなく案内するガイドとしての作用を果たしていると共に、ウェブ１の折返しの際に外側を案内して、平ウェブ走行部７から折返しウェブ走行部８へとウェブ１の変形を行うフォーマとしての機能も奏している。従って、外側ガイド１１は、ウェブ１にパスラインの長さが異なることに起因した伸びや弛みを生じさせることなく、送りのためのテンション以外の特別なテンションを与えなくても、ウェブを自然に折り返すことが可能となる。
【００２１】
外側ガイド１１は、図２（ｂ）〜（ｅ）に示すように、ウェブ１の走行に従って断面形状が変化する折返し壁を有している。即ち、外側ガイド１１は、折返し初期では、図２（ｂ）に示すように断面形状として浅く傾斜したガイド壁１２を有し、折返し中期では、図２（ｃ）に示すように断面形状として略直角のガイド壁１３を有し、更に、図２（ｄ）に示すように直角から切り込みが深くなって括れた形状のガイド壁１４を有しており、折返し終期では、図２（ｅ）に示すように、折返し線４ｂ，４ｂに対応して、鋭く括れた形状のガイド壁１５を有している。外側ガイド１１のガイド壁１２〜１５は、これらの断面位置を含む全工程を通して連続して且つ滑らかに変化している。ウェブ１の本体部３を案内する外側ガイド１１の中央部１６は、幅方向断面が直線状となるように、平板を縦方向に湾曲させた面となっている。
【００２２】
ウェブ１の折り返しは、ウェブ１に送りのためのテンションが掛けられた状態で行われる。ウェブ１にテンションを作用させると、折り返されない本体部３や図２（ｂ）及び（ｃ）に示すような位置にある折り返し程度の浅い折返し部４は、中央部１６、又は浅く傾斜したガイド壁１２や略直角のガイド壁１３から浮き上がろうとする影響を受ける。そこで、外側ガイド１１の中央部１６に沿って中央押さえプレート１７を配設することで、ウェブ１の本体部３を外側ガイド１１の中央部１６に沿わせた状態で走行させることができる。この場合、中央押さえプレート１７は、外側ガイド１１と組み合わされる内側ガイドとして機能している。ウェブ１は、その本体部３が中央部１６と中央押さえプレート１７の下面１８ａとの間に形成される僅かな隙間１９を走行し、折返し部４が中央押さえプレート１７の上面１８ｂに向かって折り返される。
【００２３】
この発明によるウェブの折返し装置の別の実施例が、図３に示されている。図３は、内側ガイドを備えたこの発明によるウェブの折返し装置を示す図であり、（ａ）はその斜視図、（ｂ）はその縦断面図である。この例では、内側ガイド２０は、本体部３の曲げのみをガイドするメインプレート２１、メインプレート２１のウェブ送り方向基端側においてメインプレート２１と一体的に後方（以下、「前後」は、ウェブ１の送り方向に従う。）に延びる平坦なガイドプレート２２、及びメインプレート２１の前後の両端部に設けられてた押さえプレート２３，２４とを備えている。
【００２４】
メインプレート２１は、凸に湾曲したガイド面２１ａの断面形が二次曲線に基づいて形成された曲面板であり、ウェブ１の本体部３の送りを案内するものである。メインプレート２１及びガイドプレート２２は、凹に湾曲した背面２１ｂ側でウェブ１の折り返しを妨げない位置において機枠２８に取り付けられる支持部材２９ａ，２９ｂでそれぞれ支持されている。後方側の押さえプレート２３は、ウェブ１の幅と少なくとも同じ広さの幅を有しており、ウェブ１の通過を許容する厚み相当分の隙間２５を介してガイドプレート２２と対向している。従って、ウェブ１は、ガイドプレート２２と押さえプレート２３との間に形成されている隙間２５を通して案内される。
【００２５】
前端側の押さえプレート２４は、メインプレート２１の前端部を取り囲む偏平な環状に形成されており、メインプレート２１の前端部の周囲にウェブ１の通過を許容する隙間２６が形成されている。押さえプレート２４は、支持部材２９ａから延びる支持部材２９ｃによって、間接的に機枠２８に支持されている。
【００２６】
内側ガイド２０は、ウェブ１の本体部３の曲げ変形のみをガイドしており、折返し部４，４を直接に案内するものではないが、本体部３を曲げ変形させることによって、折返し部４，４を内側に折り返す方向に窄ませる作用を及ぼす。押さえプレート２４は、折返しを行う実質的なフォーマとなっており、内側ガイド２０はそのときのウェブ１に送り用以外の実質的なテンションを生じることなく案内する機能を奏している。折返し部４，４は、内側ガイド２０は勿論のことその他のガイドによっても直接には案内されないが、実質的にテンションを生じることなく自然な形で折り返され、押さえプレート２４を通過するときには充分正確に折り返された状態となる。しかしながら、内側ガイド２０は、折返し部４，４を内側から直接に案内する構造、例えば、図２に示す外側ガイド１１の内側ガイド版として、外側ガイド１１のガイド壁１２〜１５及び中央部１６から成るガイド面に対して相補的なガイド面を有する内側ガイドに構成してもよい。メインプレート２１のパスラインの長さは、折返し部４，４のパスラインの長さと同じ長さとなるように設定されている。
【００２７】
図２に示す実施例では、ウェブ１の少なくとも折返し部４をその外側からパスライン長さを一定にした全面的なガイド面によって案内しており、図３に示す実施例では、ウェブ１の本体部３を内側からやはり全面的なガイド面によって案内しているが、この発明によるウェブの折返しは、上記の面状のガイドではなく、ウェブの複数のパスラインに沿って延びるように配置された低摩擦のガイド棒によって線状に案内させることもできる。図４は、この発明によるウェブの折返し装置の他の実施例を示す図である。ウェブ１の折返し形態については、図１に用いた符号をそのまま使用し、再度の説明を省略する。図４に示すウェブの折返し装置に用いられるガイド３０は、ウェブ１のパスラインに沿って延びる複数のガイド棒３０ａ〜３０ｊから成り、折返し開始から折返し完了までの長さはどれもが一定に設定されている。折返しの際にウェブ１の幅方向での断面変化の大きいところほど、ガイド棒を密に配置させることが好ましい。ガイド棒３０ａ〜３０ｊによって直接には案内されないウェブ１の部分は、ガイド棒３０ａ〜３０ｊに倣って折り返し変形をする。更に、ガイド棒に代えて、複数のパスラインにおいて、各パスライン上に長さ方向に隔置して複数のローラを配置して、ウェブ１をその面上の複数の点状位置でガイドでもよい。
【００２８】
図５は、特に外側ガイド１１のようなガイドの形状の決定を説明する図であり（ａ）はその斜視図、（ｂ）は折返し開始線と折返し完了線を結ぶ平面で見た図、（ｃ）は側面図である。ウェブ１の折返し形態については、図１に用いた符号をそのまま使用し、再度の説明を省略する。ウェブ１の折返し部４を構成する幅方向任意の位置を占める部分のパスラインの形は、パスラインの長さが一定であるとの条件の下に余弦曲線と二次曲線とを合成して決定することができる。即ち、ウェブ１の折返し部４の端縁４ａが辿るパスラインＣ1 は、既に説明の通り、折返し開始線５と折返し完了線６とを結ぶ平面９上にあるが、パスラインＣ1 の形状はこの平面上で余弦曲線（数式１）に従うものと決定する。ここで、ｗm はウェブ１の折込み幅である。
【数１】
0004132844.tif 000002
このとき、パスラインＣ1 の長さｓ1 は、次式（数式２）で表される。
【数２】
0004132844.tif 000003
但し、Ｅ（ｍ）は第２種完全楕円積分を表し、Ｅ（０）＝π／２≒１．５７、Ｅ（１）＝１である。ウェブ１の本体部３が点Ｐ，Ｑを辿るパスラインＣ2 は、ｘ＝０のときにｚ＝ｈm であり且つｘ＝Ｌのときにｚ＝０であるという条件から、次の二次曲線（数式３）に従うものと決定される。
【数３】
0004132844.tif 000004
パスラインＣ2 の長さｓ2 は、次の数式４の積分で求められる。
【数４】
0004132844.tif 000005
ｘ＝２ｈm ／Ｌは１より十分小さく、およそ０．２以下になるように適用すれば、ｓｉｎｈ- 1 （ｘ）を級数展開して数式５で示すように３次項までの式に近似しても、誤差を十分小さくすることができる。
【数５】
0004132844.tif 000006
この近似を適用すると、ｓ1 ＝ｓ2 を成立させるｈm は次の数式６で表される。
【数６】
0004132844.tif 000007
パスラインＣ1 とパスラインＣ2 の間のその他のパスラインＣ3 は、そのｘｙｚ座標をパラメータｔを用いて表示すると、次の数式７で表される。
【数７】
0004132844.tif 000008
パスラインＣ3 の長さｓ3 は次の数式８で表される積分で求められる。
【数８】
0004132844.tif 000009
ｓ1 ＝ｓ3 となるｈの値を、０≦ｗ≦ｗm の範囲にある任意のｗについて求め、得られたｈから曲線Ｃ3 を決定することができる。
【００２９】
このように、ウェブ１の折返し部４のパスラインについては、折返し部４の幅方向の各側、即ちウェブ４の端縁４ａと、曲げのみを受けるウェブ１の本体部３との接続部分４ｂとのパスラインＣ1 ，Ｃ2 を定め、折返し部４のその他の部分のパスラインＣ3 をその両パスラインＣ1 ，Ｃ2 に基づいて定めることで、ウェブ１の折返し部４の幅方向のどの位置を占める部分についてもパスラインの長さを十分正確に一致させることができ、そうして得られたガイドは十分実用に供することができるガイドとなる。
【００３０】
上記の実施例では、ウェブ１の両側において折返し部４，４を設けていたが、必ずしも両側で折り返す必要はなく、片側だけで折り返してもよい。例えば、同じスタンディングパウチであっても、収容物を小出しできるディスペンサ機能を持つ分岐型のパウチは、胴材に片側のみを折り返したウェブをシールして接合させており、そのウェブの折返しに適用することができる。また、自立機能のあるスタンディングパウチの製造に用いられる底材の折返しについて説明したが、これ以外にも、ガゼット袋におけるガゼット成形のためのウェブの折返しや、三方シール袋を製造するためのウェブの折返しに見られるような袋等の包装材の製造、及び紙やフィルム等のウェブを折返して成形される文房具や日用品等の製造に適用できることは明らかである。
【００３１】
この発明によるウェブの折返し方法が適用される別のウェブの折返し形態が、図６及び図７に示されている。図６は、この発明によるウェブの折返し方法が適用される別のウェブの折返し形態を示す図であって、（ａ）はその斜視図、（ｂ）は平面図、（ｃ）は側面図である。図６に示すウェブ４０の折返し形態は、分岐型パウチを製造する過程において、注出口とは別に充填口を形成する等の目的で分岐型パウチの胴材を構成するウェブ４０の一部を襞寄せする状態に折り重ねる形態である。この折返し形態では、ウェブ４０の両側を折り返すのではなく、片側の折返し部４４のみが本体部４３上に折り返される。折返し部４４は、折返し線４４ｂに沿って、平ウェブ走行部４７の終点位置である折返し開始線４５から折返し完了線４６の間を送られる間に、折返しの縁部４４ａが折返し線４４ｂを挟む仮想上の対称線４４ｃ上に合うように折り返され、折返しウェブ走行部４８として更に送られる。この例では、平ウェブ走行部４７と折返しウェブ走行部４８とは同じ平面４９内に存在している。後の工程で折り戻されて、折返し縁部４４ａを切り開けることでパウチ内に内容物を充填するための充填口が形成される。
【００３２】
また、図７は、この発明によるウェブの折返し方法が適用されるパウチや袋の製造過程における概略を示す断面図である。図７（ａ）は通常のスタンディングパウチを製造する場合の断面図であり、このウェブの折返し方法はパウチを左右に２列取りするときの一対の胴材５０，５０に挟まれる底材５２の折返しに適用されている。図７（ｂ）は分岐型スタンディングパウチを製造する場合の断面図であり、このウェブの折返し方法は一対の胴材５０，５１の間に挟まれる底材５３の折返しと一方の胴材５１に設けられる分岐部５４を形成する際の折返しとに適用されている。また、図７（ｃ）はガゼット袋を二列取りにて製造する場合の断面図であり、このウェブの折返し方法は一対の胴材６０，６０の間に挟まれるガゼット材６１，６２，６２の折返しに適用されている。更に、図７（ｄ）は背貼り型三方シールパウチを製造する場合の断面図であり、胴材６０の両端縁部６３，６４を合掌状に貼り合わせて背貼り部６５を形成するために、一方の端縁部６３の折返しに適用されている。
【００３３】
この発明によるウェブの折返し方法及び装置は、ウェブの折返し部を、ウェブの送り以外に実質的にテンションを掛けることなくスムーズに折り返すことができるので、従来、折返しが難しかったアルミニウム箔等の金属箔をラミネートしたプラスチックフィルムや紙等の伸び量が非常に小さい材料でも、スムーズに且つ見栄え良く折り返すことができる。また、ガイドは、外側ガイド或いは内側ガイドだけではなく、内側ガイドと外側ガイドの双方を用いて、両者間にウェブ１が案内されながら通過可能な隙間を形成することもできる。更に、ガイドの種類も、内側ガイドと外側ガイドとで適宜組み合わせることも可能である。
【００３４】
【発明の効果】
この発明によるウェブの折返し方法及び装置によれば、ウェブは、その折返し工程で折返し開始から折返し完了までに通過するウェブの幅方向で任意の位置を占める部分のパスラインの長さが略一定になるようにガイドによって案内され、またガイドはそのパスラインの長さを略一定にするようなガイド形状を有している。ウェブの少なくとも片側から折返し線でウェブを折り返すときに、パスラインの長さが異なることに起因した弛みがウェブに生じることはなく、送りのためのテンション以外の格別のテンションを作用させなくても、ウェブを自然に折り返すことができる。従って、ウェブには弛みやそれに基づく皺が生じるのを防止することができ、ウェブの折返しを良好に行うことができる。また、ウェブの折返しを、スタンディングパウチのような袋の製造において袋素材となるウェブの折返しに適用した場合には、袋が歪な形状にならず、不完全なシールの発生を防止し、見栄えや商品性の良好な袋を製造することができる。
【図面の簡単な説明】
【図１】この発明によるウェブの折返し方法及び装置に従ったウェブの折返しの態様を示す図であり、（ａ）はその斜視図、（ｂ）は平面図、（ｃ）は側面図である。
【図２】この発明によるウェブの折返し装置の一実施例を示す図であり、（ａ）は折返し装置の側面図、（ｂ）〜（ｅ）は（ａ）に示す折返し装置の各断面図である。
【図３】この発明によるウェブの折返し装置の別の実施例を示す図であり、（ａ）はその斜視図、（ｂ）は縦断面図である。
【図４】この発明によるウェブの折返し装置の別の実施例を示す図であり、（ａ）は斜視図、（ｂ）は平面図である。
【図５】この発明によるウェブの折返し装置において、パスラインの形状算出方法を説明する図であり、（ａ）はその斜視図、（ｂ）は折返し開始線と折返し完了線とを結ぶ平面で見た図、（ｃ）は側面図である。
【図６】この発明によるウェブの折返し方法が適用される別のウェブの折返し形態を示す図であって、（ａ）はその斜視図、（ｂ）は平面図、（ｃ）は側面図である。
【図７】この発明によるウェブの折返し方法が適用されるパウチや袋の製造過程における概略を示す断面図である。
【符号の説明】
１，４０  ウェブ                    ２  幅方向中央線
３，４３  本体部                    ４，４４  折返し部
５，４５  折返し開始線              ６，４６  折返し完了線
７，４７  平ウェブ走行部            ８，４８  折返しウェブ走行部
９，４９  平面                      １０  折返し工程部
１１  外側ガイド                    １２〜１５  ガイド壁
１６  中央部                        １７  中央押さえプレート
１８ａ，１８ｂ  中央押さえプレートのガイド面、背面      １９  隙間
２０  内側ガイド                    ２１  メインプレート
２２  ガイドプレート                ２３，２４  押さえプレート
２８  機枠                          ２９ａ〜２９ｃ  支持部材
３０  ガイド                        ３０ａ〜３０ｊ  ガイド棒
５０，５１，６０  胴材              ５２，５３  底材
５４  分岐部                        ６１，６２  ガゼット材
６３，６４  両端縁部                ６５  背貼り部
【図１】
0004132844.tif 000010
【図２】
0004132844.tif 000011
【図３】
0004132844.tif 000012
【図４】
0004132844.tif 000013
【図５】
0004132844.tif 000014
【図６】
0004132844.tif 000015
【図７】
0004132844.tif 000016